(57)【要約】      （修正有）【課題】睡眠時に枕を移動する事無く、寝返りを容易にできる形状のまくらを提供する。【解決手段】仰臥用と横臥用の高さを同一の面に備え、かつスムーズに寝返りしやすい枕とした。仰臥して枕に頭を載せる場所を中央に、そこから頭を左右にそれぞれ９０度回転させ、横臥して枕に頭を載せる場所を両脇に、この３カ所を頭が滑らかに回転できるようにつなぐ面を備える。この３カ所とこれらをつなぐ部分の上を寝返りするとき、首や肩の姿勢に無理がない高さに形成すれば、仰臥と横臥の寝返りがスムーズにできる快眠枕になる。【選択図】図１０
0003157545.tif 000002
【実用新案登録請求の範囲】
【請求項１】
適宜な弾力をもつ素材の枕の上面に、仰臥して頭を載せる場所を中央に。そこから頭を左右に９０度回転させ、横臥した頭を載せる場所を両脇に。この３カ所を滑らかにつなぐ面を備える。この３カ所とこれらをつなぐ面の上を寝返りするとき、頭の回転の軸となる弾力で沈み込んだ頭の中心線が、敷き布団やベッドと平行になる高さを保つように成形した、寝返りがスムーズにできる快眠まくら。
【請求項２】
仰臥して頭を載せる場所を中央に。そこから頭を左右に９０度回転させ、横臥した頭を載せる場所を両脇に。この３カ所を滑らかにつなぐ面を備える。この３カ所とこれらをつなぐ面の上を寝返りするとき、頭の回転の軸となる弾力で沈み込んだ頭の中心線が、敷き布団やベッドと平行になる高さを保つように成形した、枕のケースを適宜な素材でつくり、この中に適当な充填物を封入した、寝返りがスムーズにできる快眠まくら。
【考案の詳細な説明】
【考案の詳細な説明】
【技術分野】
【０００１】本案は睡眠時に枕を移動する事無く、寝返りを容易にできる形状を考案したものである。
【背景技術】
【０００２】近年製造された枕には新素材や、内部の構造などの改良により寝心地の良い枕が増えた。しかし、多くの人は朝まで同じ姿勢で寝続ける訳ではなく何度となく寝返りをうつが、この寝返りのしやすさは考慮されていなかった。従来の寝返りを考慮した枕は厚みの薄い仰臥用と、厚みのある横臥用を別々に両側に備えていた。しかし、多くの人は睡眠中に何度となく寝返りを打つので、その度に頭を上げ、枕の向きを変える事は大変不便である。また、この枕の向きを変えないで寝返りを打つと高さが合わず、首が布団やベッドの面と角度がついてしまい苦痛で睡眠障害の原因ともなる。
【考案の概要】
【考案が解決しようとする課題】
【０００３】基本的に仰臥姿勢で寝る時、敷き布団やベッドの面から後頭部までの高さはあまり無く、低い枕で良い。寝返りを打ち横臥姿勢になると、肩をよほど前に入れない限り、頭の横面（耳の位置）は仰臥姿勢の後頭部よりい。これを無視して、どちらかの高さに合わせた枕を使用すると、スムーズな寝返りが打てないばかりか、寝違いの原因にもなりかねない。
【課題を解決するための手段】
【０００４】従来の枕では両側にあった仰臥用（図１５）と、横臥用（図１４）の高さを持つ枕の形状を、同一面に仰臥と横臥の高さを備えて枕の向きを変える事無く、かつスムーズに寝返りを打てるように考案したものである。
【考案の効果】
【０００５】寝るときに頭の中心線が布団やベッドに対して平行になる高さの枕を使うと、姿勢に無理が無く、安眠できるとされる。仰臥用と横臥用の違った高さをただつないだだけでは、寝返りをしたときに首の部分が窮屈に曲がる事になる。頭が高く顎が低い姿勢は頚部の気管を圧迫し、危険なばかりか首や肩こりの原因ともなる。逆に頭が低く顎が高い姿勢は後頚部の血管を圧迫し、血流を妨げ熟睡できない。頭の中心線が斜めになると、スムーズに寝返りを打てないばかりか、睡眠障害を起こす原因ともなる。寝返りをスムーズにするには、この仰臥と横臥の高さを調節し、寝返りをするどの姿勢のときも、回転の軸になる頭の中心線が、布団やベッドと平行になるようにする事が重要である。
【図面の簡単な説明】
【０００６】図１から第７図は本案の実施例を示す。
【図１】本案の背面図。
【図２】本案の平面図。
【図３】本案の正面図。
【図４】本案の左側面図。
【図５】本案の右側面図。
【図６】本案のａ−ｂの断面図。
【図７】本案のｃ−ｄ、ｅ−ｆの断面図。
【図８】本案の仰臥した使用例。
【図９】本案の横臥した使用例。
【図１０】本案の使用例を頭の上方から見た図。図１１〜図１６は従来の製品を示す。【図１１】従来品の背面図。
【図１２】従来品の平面図。
【図１３】従来品の正面図。
【図１４】従来品の左側面図。（横臥したとき使用）
【図１５】従来品の右側面図。（仰臥したとき使用）
【図１６】従来品のｋ−ｌの断面図。
【符号の説明】
【０００７】１、３、５は使用しない時の外形。
２、４、６は使用時の断面。
ｅ−ｆ、ｇ−ｈは頭部の中心線を示す。
Ａは仰臥した頭部。
Ｂ、Ｃは横臥した頭部。
Ｘは仰臥した頭部により沈んだ枕の高さ。
Ｙ、Ｙ’は横臥した頭部により沈んだ枕の高さ。
【考案を実施するための形態】
【実施例】
【０００８】一実施例を図面とともに説明すれば、【０００９】適宜な弾力をもつ素材の枕の上面に仰臥して頭を載せ（図８）、弾力で沈み込んだ頭の中心線ｇ−ｈが敷布団やベッドと平行になる、高さＸの場所を中央に（図１０のＡ）。そこから頭を左右に９０度回転させ、横臥して枕に頭を載せ（図９）、弾力で沈み込んだ頭の中心線ｉ−ｊが敷布団やベッドと平行になる、高さＹとＹ’の場所を両脇に（図１０のＢとＣ）。この３カ所をつなぐ面の上を寝返りするとき（図１０）、頭の中心線が敷布団やベッドと平行になる高さを保つようにつなぐと、頭の中心線を回転軸に、Ｂ左横臥…Ａ仰臥…Ｃ右横臥と寝返りがスムーズにできる快眠まくらになる。
【産業上利用の可能性】
【００１０】この枕の効用は、一般の人が睡眠をとる時に便利というだけで無く、特に病気で長期入院をしている人や、寝たきり状態の老人の介護をする時に必要となる。褥そうを作らないために横臥姿勢で体を固定されたり、おむつ交換や体を清拭する度に体の向きを変える要があり、首に負担をかけずに寝た姿勢のまま体を楽に回転できる枕は、医療・介護用品としても利用効果がある。
【図１】
0003157545.tif 000003
【図２】
0003157545.tif 000004
【図３】
0003157545.tif 000005
【図４】
0003157545.tif 000006
【図５】
0003157545.tif 000007
【図６】
0003157545.tif 000008
【図７】
0003157545.tif 000009
【図８】
0003157545.tif 000010
【図９】
0003157545.tif 000011
【図１０】
0003157545.tif 000012
【図１１】
0003157545.tif 000013
【図１２】
0003157545.tif 000014
【図１３】
0003157545.tif 000015
【図１４】
0003157545.tif 000016
【図１５】
0003157545.tif 000017
【図１６】
0003157545.tif 000018
【手続補正書】
【提出日】平成21年12月4日(2009.12.4)
【手続補正１】
【補正対象書類名】実用新案登録請求の範囲
【補正対象項目名】請求項１
【補正方法】変更
【補正の内容】
【請求項１】
適宜な弾力をもつ素材の枕の上面に、仰臥して頭を載せる場所を中央に、そこから頭を左右に９０度回転させ、横臥した頭を載せる場所を両脇につくり、この３カ所を滑らかにつなぐ面を備え、この３カ所とこれらをつなぐ面の上を寝返りするとき、頭の回転の軸となる弾力で沈み込んだ頭の中心線が、敷き布団やベッドと平行になる高さを保つように成形した、寝返りがスムーズにできる快眠まくら。
【手続補正２】
【補正対象書類名】実用新案登録請求の範囲
【補正対象項目名】請求項２
【補正方法】変更
【補正の内容】
【請求項２】
仰臥して頭を載せる場所を中央に、そこから頭を左右に９０度回転させ、横臥した頭を載せる場所を両脇につくり、この３カ所を滑らかにつなぐ面を備え、この３カ所とこれらをつなぐ面の上を寝返りするとき、頭の回転の軸となる弾力で沈み込んだ頭の中心線が、敷き布団やベッドと平行になる高さを保つように成形した、枕のケースを適宜な素材でつくり、この中に適当な充填物を封入した、寝返りがスムーズにできる快眠まくら。
【手続補正３】
【補正対象書類名】明細書
【補正対象項目名】０００３
【補正方法】変更
【補正の内容】
【０００３】基本的に仰臥姿勢で寝る時、敷き布団やベッドの面から後頭部までの高さはあまり無く、低い枕で良い。寝返りを打ち横臥姿勢になると、肩をよほど前に入れない限り、頭の横面（耳の位置）は仰臥姿勢の後頭部より高い。これを無視して、どちらかの高さに合わせた枕を使用すると、スムーズな寝返りが打てないばかりか、寝違いの原因にもなりかねない。
【手続補正４】
【補正対象書類名】明細書
【補正対象項目名】０００７
【補正方法】変更
【補正の内容】
【０００７】１、３、５は使用しない時の外形。
２、４、６は使用時の断面。
ｇ−ｈ、ｉ−ｊは頭部の中心線を示す。Ａは仰臥した頭部。
Ｂ、Ｃは横臥した頭部。
Ｘは仰臥した頭部により沈んだ枕の高さ。
Ｙ、Ｙ’は横臥した頭部により沈んだ枕の高さ。